(57)【要約】【課題】開閉体の吊り込み作業を容易にできる開閉体の吊り込み方法を提供する。【解決手段】一対の扉体６を折り畳んで一対のランナ15を挟み込み、一対の抜止突部18を一対の第１の連結凹部121に取り付ける。その後、一対の扉体６を折り畳む方向と交差する方向に向けて折戸体５を移動させて、一対の抜止突部18を一対の第２の連結凹部122に取り付け、一対のランナ15と一対のベースカップ13とを結合する。【選択図】図１８
2010116776.tif 000002
【特許請求の範囲】
【請求項１】
折り畳み可能な一対の板体を備え、これら一対の板体にて開口部を開閉させる開閉体と、
前記開口部の上部に配設される上部案内体と、
この上部案内体を走行し前記開閉体の一対の板体を吊り下げ支持する一対のランナ、前記開閉体の一対の板体の端部に取り付けられた一対の固着部、これら一対の固着部および前記一対のランナのいずれか一方に設けられた一対の取付部、前記一対の固着部および前記一対のランナのいずれか他方に設けられ前記一対の取付部が取り付けられる一対の第１の被取付部、およびこれら一対の第１の被取付部に連続して設けられ前記一対の取付部が取り付けられる一対の第２の被取付部を備えた上部走行体と
を具備した開閉体装置の吊り込み方法であって、
前記一対のランナを前記上部案内体内で走行させ、
前記開閉体の一対の板体を折り畳んで前記一対のランナを挟み込み、前記一対の取付部を前記一対の第１の被取付部に取り付け、
一対の板体を折り畳む方向と交差する方向に向けて開閉体を移動させて、前記一対の取付部を前記一対の第２の被取付部に取り付け、前記一対のランナと前記一対の固着部とを結合する
ことを特徴とする開閉体の吊り込み方法。
【請求項２】
取付部は、ランナに設けられ、
第１の被取付部および第２の被取付部は、固着部に設けられ、
前記第２の被取付部は、傾斜面を有し、
開閉体装置は、前記固着部に回動可能に取り付けられ前記取付部を抜け止め保持する抜止部材と、この抜止部材を付勢する弾性部材とを具備し、
前記一対の板体の上側を開口部の前側に向けて傾けて前記取付部を前記傾斜面に対して摺動させることにより、前記一対の板体の水平方向への移動をこれら一対の板体の高さ方向への移動に変換し、
その後、前記一対の板体の上側をさらに開口部の前側に向けて傾けることにより、前記取付部による前記抜止部材の押圧解除で前記抜止部材を前記弾性部材の弾性力によって回動させて前記抜止部材に前記取付部を抜け止め保持させる
ことを特徴とする請求項１記載の開閉体の吊り込み方法。
【請求項３】
第２の被取付部は、第１の被取付部に直角に連続して設けられ、
一対の板体を水平に移動させて折り畳んだ後、前記一対の板体の上側を開口部の前側に向けて傾ける
ことを特徴とする請求項２記載の開閉体の吊り込み方法。
【発明の詳細な説明】
【技術分野】
【０００１】
本発明は、開口部を開閉可能にする開閉体の吊り込み方法に関する。
【背景技術】
【０００２】
近年、この種の開閉体装置は、いわゆるワンタッチで開閉体の吊り込みが施工できるものが主流となっている。そして、この種の開閉体装置としては、開口部の上部に取り付けられたガイドレールにガイドローラが走行可能に嵌合されている。また、これらガイドローラが回転可能に接続されたローラホルダの下面には、ケース体が水平方向に沿って回転可能に取り付けられている。そして、このケース体は、開閉体に予め取り付けられたベースカップの嵌合凹部に着脱可能に嵌合されて、この開閉体をガイドレールに走行可能に吊り込ませる(例えば、特許文献１参照。)。
【先行技術文献】
【特許文献】
【０００３】
【特許文献１】特開平８−１０９７６８号公報（第３−６頁、図１−図３）
【発明の概要】
【発明が解決しようとする課題】
【０００４】
しかしながら、上記開閉体装置では、開閉体の荷重を保持しつつ、ガイドレールに走行可能に保持されたローラが取り付けられたローラホルダを、開閉体に取り付けられたベースカップそれぞれの嵌合凹部に位置合わせしながらそれぞれを嵌合させなければ、開閉体を開口部に開閉可能に取り付けることができないので、この開閉体の吊り込み作業が容易ではないという問題を有している。
【０００５】
本発明は、このような点に鑑みてなされたもので、開閉体の吊り込み作業を容易にできる開閉体の吊り込み方法を提供することを目的とするものである。
【課題を解決するための手段】
【０００６】
請求項１記載の開閉体の吊り込み方法は、折り畳み可能な一対の板体を備え、これら一対の板体にて開口部を開閉させる開閉体と、前記開口部の上部に配設される上部案内体と、この上部案内体を走行し前記開閉体の一対の板体を吊り下げ支持する一対のランナ、前記開閉体の一対の板体の端部に取り付けられた一対の固着部、これら一対の固着部および前記一対のランナのいずれか一方に設けられた一対の取付部、前記一対の固着部および前記一対のランナのいずれか他方に設けられ前記一対の取付部が取り付けられる一対の第１の被取付部、およびこれら一対の第１の被取付部に連続して設けられ前記一対の取付部が取り付けられる一対の第２の被取付部を備えた上部走行体とを具備した開閉体装置の吊り込み方法であって、前記一対のランナを前記上部案内体内で走行させ、前記開閉体の一対の板体を折り畳んで前記一対のランナを挟み込み、前記一対の取付部を前記一対の第１の被取付部に取り付け、一対の板体を折り畳む方向と交差する方向に向けて開閉体を移動させて、前記一対の取付部を前記一対の第２の被取付部に取り付け、前記一対のランナと前記一対の固着部とを結合するものである。
【０００７】
そして、開口部の上部に配設された上部案内体内に一対のランナを走行させた後、開閉体の一対の板体を折り畳んで一対のランナを挟み込んで、一対の取付部を一対の第１の被取付部に取り付ける。さらに、開閉体の一対の板体を折り畳む方向と交差する方向に向けて開閉体を移動させて、一対の取付部を一対の第２の被取付部に取り付けて、一対のランナと一対の固着部とを結合する。この結果、一対の取付部を一対の第１の被取付部および第２の被取付部のそれぞれに取り付ける際に、一対のランナが一対の板体間から逃げなくなるから、開閉体の一対の板体の吊り込み作業をより容易にできる。
【０００８】
請求項２記載の開閉体の吊り込み方法は、請求項１記載の開閉体の吊り込み方法において、取付部は、ランナに設けられ、第１の被取付部および第２の被取付部は、固着部に設けられ、前記第２の被取付部は、傾斜面を有し、開閉体装置は、前記固着部に回動可能に取り付けられ前記取付部を抜け止め保持する抜止部材と、この抜止部材を付勢する弾性部材とを具備し、前記一対の板体の上側を開口部の前側に向けて傾けて前記取付部を前記傾斜面に対して摺動させることにより、前記一対の板体の水平方向への移動をこれら一対の板体の高さ方向への移動に変換し、その後、前記一対の板体の上側をさらに開口部の前側に向けて傾けることにより、前記取付部による前記抜止部材の押圧解除で前記抜止部材を前記弾性部材の弾性力によって回動させて前記抜止部材に前記取付部を抜け止め保持させるものである。
【０００９】
請求項３記載の開閉体の吊り込み方法は、請求項２記載の開閉体の吊り込み方法において、第２の被取付部は、第１の被取付部に直角に連続して設けられ、一対の板体を水平に移動させて折り畳んだ後、前記一対の板体の上側を開口部の前側に向けて傾けるものである。
【発明の効果】
【００１０】
本発明によれば、上部案内体内に一対のランナを走行させた後、開閉体の一対の板体を折り畳んで一対のランナを挟み込んで、一対の取付部を一対の第１の被取付部に取り付け、さらに、開閉体の一対の板体を折り畳む方向と交差する方向に向けて開閉体を移動させて、一対の取付部を一対の第２の被取付部に取り付けて、一対のランナと一対の固着部とを結合することにより、一対の取付部を一対の第１の被取付部および第２の被取付部のそれぞれに取り付ける際に、一対のランナが一対の板体間から逃げなくなるから、開閉体の一対の板体の吊り込み作業をより容易にできる。
【図面の簡単な説明】
【００１１】
【図１】本発明の第１の関連技術の開閉体装置を示す分解斜視図である。
【図２】同上開閉体装置のベースカップを示す一部を切り欠いた分解斜視図である。
【図３】同上開閉体装置の上部走行体に開閉体を吊り下げ支持させる前の状態を示す説明側面図である。
【図４】同上開閉体装置の上部走行体に開閉体を吊り下げ支持させる途中の状態を示す説明側面図である。
【図５】同上開閉体装置の上部走行体に開閉体を吊り下げ支持させた状態を示す説明側面図である。
【図６】本発明の第２の関連技術の開閉体装置を示す分解斜視図である。
【図７】本発明の第３の関連技術の開閉体装置を示す斜視図である。
【図８】同上開閉体装置の上部走行体に開閉体を吊り下げ支持させる前の状態を示す説明側面図である。
【図９】同上開閉体装置の上部走行体に開閉体を吊り下げ支持させる途中の状態を示す説明側面図である。
【図１０】同上開閉体装置の上部走行体に開閉体を吊り下げ支持させた状態を示す説明側面図である。
【図１１】本発明の第４の関連技術の開閉体装置を示す分解斜視図である。
【図１２】同上開閉体装置の上部走行体に開閉体を吊り下げ支持させる前の状態を示す説明上面図である。
【図１３】同上開閉体装置を示す説明側面図である。
【図１４】同上開閉体装置の上部走行体に開閉体を吊り下げ支持させる途中の状態を示す説明上面図である。
【図１５】同上開閉体装置を示す説明側面図である。
【図１６】同上開閉体装置の上部走行体に開閉体を吊り下げ支持させた状態を示す説明上面図である。
【図１７】同上開閉体装置を示す説明側面図である。
【図１８】本発明の一実施の形態の開閉体装置を示す分解斜視図である。
【図１９】同上開閉体装置の上部走行体に開閉体を吊り下げ支持させる前の状態を示す説明上面図である。
【図２０】同上開閉体装置を示す説明側面図である。
【図２１】同上開閉体装置の上部走行体に開閉体を吊り下げ支持させる途中の状態を示す説明上面図である。
【図２２】同上開閉体装置を示す説明側面図である。
【図２３】同上開閉体装置の上部走行体に開閉体を吊り下げ支持させた状態を示す説明上面図である。
【図２４】同上開閉体装置を示す説明側面図である。
【発明を実施するための形態】
【００１２】
以下、本発明の開閉体装置の第１の関連技術の構成を図１ないし図５を参照して説明する。
【００１３】
図１ないし図５において、１は開口部で、この開口部１は図示しない家具やクローゼットなどの取り出し口である。すなわち、この開口部１は、矩形状に形成されており、水平方向に向けて開口している。そして、この開口部１には、この開口部１を開閉可能に移動する開閉体装置としての折戸装置２が取り付けられている。この折戸装置２は、開口部１の上部に取り付けられた上部案内体としての細長略棒状の上部ガイドレール３を備えている。この上部ガイドレール３は、横断面略凹状に形成されており、開口部１の幅方向に長手方向を沿わせた状態で、この開口部１の開口縁に沿って配設されて固定されている。
【００１４】
また、この上部ガイドレール３の下方には、下部案内体としての細長略棒状の下部ガイドレール４が位置している。この下部ガイドレール４は、横断面略凹状に形成されて、開口部１の下部に取り付けられている。また、この下部ガイドレール４は、開口部１の幅方向に長手方向を沿わせた状態で、この開口部１の開口縁に沿って配設されて固定されている。すなわち、この下部ガイドレール４は、上部ガイドレール３に対して平行に取り付けられている。
【００１５】
そして、上部ガイドレール３と下部ガイドレール４との間には、開口部１を開閉可能にする開閉体としての折戸体５が取り付けられている。この折戸体５は、開口部１の開口縁に沿って移動可能に配設されている。すなわち、この折戸体５は、上部ガイドレール３および下部ガイドレール４それぞれの長手方向に沿って移動可能に取り付けられている。さらに、この折戸体５は、互いに向い合う一側縁間が図示しない蝶番にて回動可能かつ開閉可能に連結されて折り畳み可能に構成された矩形平板状の板体である一対の扉体６を備えている。
【００１６】
これら一対の扉体６の幅方向における両端部の上端部には、これら一対の扉体６を上部ガイドレール３に取り付ける上部取付装置11が取り付けられている。この上部取付装置11は、上部ガイドレール３内に長手方向に沿って走行可能に嵌合される上部走行体12と、この上部走行体12を一対の扉体６の幅方向の両端部の上端部に連結させる固着部としてのベースカップ13とにより構成されている。
【００１７】
そして、上部走行体12は、上部ガイドレール３内を走行して、折戸体５の一対の扉体６を開閉可能に吊り下げ支持する。また、この上部走行体12は、両側面の長手方向における両端部のそれぞれにガイドローラ14が回転可能に取り付けられた細長略直方体状のローラホルダとしてのランナ15を備えている。ここで、これら各ガイドローラ14は、ランナ15の幅方向に沿った回転軸を有している。また、これら各ガイドローラ14は、上部ガイドレール３の長手方向に沿って走行可能に嵌合される。
【００１８】
さらに、ランナ15の長手方向における一端部には、上面視略凹状の嵌合凹部16が設けられている。この嵌合凹部16は、ランナ15の上下方向に向けて貫通しており、これら各嵌合凹部16のそれぞれを対向させて一対の上部走行体12を上部ガイドレール３に走行可能に嵌合させた際に互いに嵌合して、これら上部走行体12の幅方向へのずれを防止する。
【００１９】
また、これら上部走行体12のランナ15の下端面には、細長棒状の連結軸部17が垂直に突設されている。この連結軸部17は、ランナ15の下端面の中央部に取り付けられており、このランナ15の上下方向に沿った軸方向を有している。そして、この連結軸部17の先端部には、この連結軸部17の径方向に向けて突出した取付部としての円板状の取付部としての抜止突部18が設けられている。この抜止突部18は、連結軸部17の周方向に沿って突出しており、この連結軸部17に対して同心状に設けられている。
【００２０】
次いで、ベースカップ13は、折戸体５の一対の扉体６それぞれの上端部に形成された円筒状の埋設凹部７に嵌合される本体部としての合成樹脂製の埋設部21を備えている。ここで、埋設凹部７は、一対の扉体６の上端面にそれぞれ直接開口して連通しており、これら一対の扉体６それぞれの相反する幅方向における一側部のそれぞれに設けられている。また、ベースカップ13の埋設部21の開口縁には、この埋設部21を扉体６の埋設凹部７に嵌合させた際に、この埋設凹部７の開口縁に当接するフランジ22が一体に形成されている。このフランジ22には、複数の固定ねじ23が挿通される挿通孔24が穿設されている。
【００２１】
さらに、埋設部21の内側には、図２に示すように、上部走行体12の連結軸部17が着脱可能に嵌合されて回動可能に取り付けられる被取付部としての連結凹部25が設けられている。この連結凹部25は、上部走行体12の連結軸部17が挿入されて係合保持される係合溝部26を備えている。この係合溝部26は、埋設部21の上端面に向けて連通して開口している。
【００２２】
そして、この係合溝部26の内側面のそれぞれには、傾斜面としてのテーパ状のテーパ面27が設けられている。これらテーパ面27は、係合溝部26の内側に向かうに連れて徐々に内幅が狭くなるように形成されている。また、これらテーパ面27は、係合溝部26の上下方向に沿って形成されており、最も内側の内幅寸法が上部走行体12の連結軸部17の外径寸法よりも若干大きく形成されている。
【００２３】
また、係合溝部26の下側には、この係合溝部26のテーパ面27よりも大きく拡開した挿通凹部28が形成されている。この挿通凹部28は、係合溝部26の下側に連続して設けられており、この係合溝部26の下側に連通している。そして、この挿通凹部28の内側面のそれぞれには、傾斜面としてのテーパ状の案内面29が設けられている。これら案内面29は、挿通凹部28の内側に向かうに連れて徐々に内幅が狭くなるように形成されている。また、これら案内面29は、挿通凹部28の上下方向に沿って形成されており、最も内側の内幅寸法が上部走行体12の抜止突部18の外径寸法よりも若干大きく形成されている。すなわち、これら案内面29は、挿通凹部28内への上部走行体12の抜止突部18の嵌合を案内してガイドするガイド面として機能する。
【００２４】
さらに、挿通凹部28の上側面、すなわち係合溝部26の下側面には、上部走行体12の抜止突部18が係脱可能に係合して抜止保持する係合段部31が形成されている。この係合段部31は、係合溝部26および挿通凹部28それぞれの内側に向けて拡幅された段状に形成されている。そして、この係合段部31は、上部走行体12の抜止突部18の厚さ寸法に略等しい高さ寸法を有している。すなわち、この係合段部31は、ベースカップ13の連結凹部25に回動可能に係合した連結軸部17の抜止をより確実にする。よって、この係合段部31は、特に必要ない場合には設けなくてもよい。
【００２５】
また、挿通凹部28の下側には、この挿通凹部28の案内面29の開口縁の内幅寸法に等しい内幅寸法を有する矩形状に開口した取付凹部32が形成されている。この取付凹部32は、挿通凹部28の下側に連続して設けられており、この挿通凹部28の奥行き寸法の２分の１程度の奥行き寸法を有している。そして、この取付凹部32の内側面には、上下方向に沿った長手方向を有する溝状の軸受溝部33が形成されている。この軸受溝部33は、取付凹部32の内側面の上下方向における中間部から挿通凹部28の案内面29の上下方向における中間部に亘って形成されている。
【００２６】
さらに、取付凹部32の下面を構成する底面部34には、この取付凹部32の開口方向に沿った長手方向を有する溝状の保持溝部35が形成されている。この保持溝部35は、取付凹部32の底面部34の幅方向における中央部に設けられており、この底面部34の開口縁まで連続して設けられている。さらに、この保持溝部35の一端部である基端縁には、円弧状の係止凹部36が形成されている。
【００２７】
そして、取付凹部32には、挿通凹部28内へと挿通されて案内された上部走行体12の抜止突部18を着脱可能に抜止保持する保持部材としてのロック部材41が取り付けられている。このロック部材41は、側面視略Ｓ字状であり、矩形平板状の本体部42を備えている。この本体部42は、取付凹部32の内幅寸法よりも若干小さな幅寸法を有している。また、この本体部42は、取付凹部32の奥行き寸法よりも若干小さな奥行き寸法を有している。
【００２８】
さらに、この本体部42の一側縁には、この本体部42の下面に対して垂直に突出した矩形平板状の蓋部43が一体的に突設されている。この蓋部43は、本体部42の奥行き方向における一端縁である外側縁に設けられている。さらに、本体部42の外側縁の上側には、この本体部42の幅方向に沿って形成された段部44が形成されている。この段部44は、ロック部材41によるベースカップ13の連結凹部25への連結軸部17の係合を解除する際の操作部となる。さらに、この段部44は、本体部42の外側縁に沿って形成されている。
【００２９】
また、本体部42の上面には、この本体部42の上面に対して垂直に突出した爪状の係止爪部45が一体的に突設されている。この係止爪部45は、挿通凹部28内に摺動可能に収容されて保持されている。そして、この係止爪部45の一側面には、本体部42の奥行き方向における他側縁である内側縁に沿って上方に向けて垂直に突出した垂直面部46が設けられている。また、この係止爪部45の他側面には、本体部42の外側縁側から内側縁側に向かうに連れて徐々に上方に向けて突出したテーパ状の傾斜面部47が形成されている。
【００３０】
この傾斜面部47は、本体部42の幅方向に沿って設けられている。さらに、係止爪部45は、本体部42の外側縁側から内側縁側に向かうに連れて幅方向に沿って先細状に形成されている。すなわち、この係止爪部45の両側面は、この係止爪部45を挿通凹部28内に摺動可能に収容できるように、この挿通凹部28の案内面29に沿ったテーパ状に形成されている。
【００３１】
そして、この係止爪部45には、この係止爪部45の幅方向に沿って貫通した軸挿通孔48が穿設されている。この軸挿通孔48は、係止爪部45の下側における垂直面部46よりに設けられている。また、この軸挿通孔48には、軸体である細長棒状のピン体49の両端部を突出させた状態で挿通されて取り付けられている。このピン体49の両端部は、取付凹部32の軸受溝部33に嵌合されて上下方向に沿って移動可能に取り付けられている。すなわち、このピン体49は、取付凹部32内にロック部材41を上下方向に沿って移動可能に取り付けさせる。
【００３２】
さらに、このロック部材41の本体部42の下面には、円筒状のバネ受凹部51が設けられている。このバネ受凹部51は、本体部42の下面の中央部に設けられており、この本体部42の下面の法線方向である上下方向に沿って開口している。そして、このバネ受凹部51には、鋼線を螺旋状に巻回させて形成された弾性部材としてのコイルスプリング52の軸方向における一端部が嵌合されて抜止保持されている。このコイルスプリング52の軸方向における他端部は、取付凹部32の保持溝部35に嵌合されており、この保持溝部35によって取付凹部32の幅方向への移動が規制されている。
【００３３】
また、このコイルスプリング52は、取付凹部32内に取り付けられたロック部材41を上方に向けて付勢する。言い換えると、このコイルスプリング52は、取付凹部32内に取り付けられたロック部材41の係止爪部45の先端部を、挿通凹部28の係合段部31の基端縁に付勢しつつ当接させる。
【００３４】
一方、一対の扉体６の幅方向における両端部の下端部には、これら一対の扉体６を下部ガイドレール４に走行可能に係合させて、これら一対の扉体６の移動をガイドするガイド部材としての下部取付装置である下部走行体61が取り付けられている。この下部走行体61は、有底円筒状のケース体62を備えている。このケース体62は、一対の扉体６の幅方向における両端部の下端部に設けられた円筒状の埋込凹部８に基端側から埋め込まれて取り付けられている。
【００３５】
そして、このケース体62の内部には、鋼線を螺旋状に巻回させて構成された弾性部材としてのコイルスプリング63が軸方向を一致させた状態で挿入されて取り付けられている。さらに、このケース体62の内部には、ピボット軸としての細長円柱状の連結部材64の一端部である上端部が挿入されている。ここで、この連結部材64の一端部である上端部には、ケース体62内に挿入されて、このケース体62内のコイルスプリング63にて押圧されて付勢される円柱状の押圧部65が設けられている。この押圧部65の下端部には、細長棒状の支持軸部66の一端部である上端部が同心状に突設されている。この支持軸部66は、押圧部65の外径寸法よりも小さな外径寸法を有している。
【００３６】
さらに、ケース体62の先端側の開口部67には、この開口部67を閉塞する円板状のキャップ体68が取り付けられている。このキャップ体68の中央部には、連結部材64の支持軸部66が摺動可能に挿通される挿通孔69が開口されて設けられている。すなわち、このキャップ体68は、ケース体62内にコイルスプリング63および連結部材64の押圧部65のそれぞれが挿入され、この連結部材64の支持軸部66を挿通孔69から挿通させた状態で、ケース体62の開口部67に取り付けられている。
【００３７】
また、この連結部材64の支持軸部66の軸方向における他端部である下端部には、略円環状のローラ体としてのガイドローラ71が嵌合されて回転可能に取り付けられている。このガイドローラ71は、支持軸部66の下端部に対して同心状に取り付けられており、下部ガイドレール４内に走行可能に嵌合される。
【００３８】
そして、このガイドローラ71は、円環状の本体部としてのローラ部72を備えている。このローラ部72の下側には、円筒状の縮径部73を介して拡径部としての円環状の支持ローラ74が同心状に一体的に設けられている。この支持ローラ74は、ローラ部72の外径寸法よりも小さく、縮径部73の外径寸法よりも大きな外径寸法を有している。
【００３９】
ここで、連結部材64の支持軸部66には、高さ保持手段としての高さ保持機構であるクリップ体75が着脱可能に取り付けられる。このクリップ体75は、一対の扉体６のそれぞれを上部ガイドレール３に取り付けられた上部走行体12に連結させる際、すなわちこれら一対の扉体６の吊り込み時に、各下部走行体61の支持軸部66に嵌合されて取り付けられて、下部ガイドレール４に対して一対の扉体６を一定距離の高さに保持する。言い換えると、このクリップ体75は、各下部走行体61の支持軸部66に取り付けることにより、下部ガイドレール４から一対の扉体６の下端までの距離を一定の距離に保持する。
【００４０】
そして、このクリップ体75は、一部が軸方向に沿って開口した上面視略Ｃ字状の円筒状である嵌合筒部76を備えている。この嵌合筒部76は、連結部材64の支持軸部66の外径寸法よりも若干小さな内径寸法を有している。そして、この嵌合筒部76には、この嵌合筒部76の一部を軸方向に沿って拡開させた溝部である拡開溝部77が設けられている。したがって、この嵌合筒部76は、拡開溝部77を形成したことによって弾性変形可能に構成されている。また、この嵌合筒部76は、一対の扉体６に取り付けられたベースカップ13に対して上部ガイドレール３に嵌合された上部走行体12の連結軸部17を水平に嵌合できるように、これら一対の扉体６の高さを調整できる高さ寸法を有している。
【００４１】
さらに、この嵌合筒部76の拡開溝部77の両縁部のそれぞれには、この嵌合筒部76の径方向に沿って突出した矩形平板状の操作片部78が一体的に形成されている。これら操作片部78は、嵌合筒部76の高さ寸法に等しい高さ寸法を有しており、この嵌合筒部76の中心からテーパ状に拡開するように設けられている。すなわち、これら操作片部78は、これら操作片部78を操作して、これら操作片部78間の距離を大きくして嵌合筒部76を拡径させることにより、下部走行体61の支持軸部66からクリップ体75を取り外す際の操作部である。
【００４２】
次に、上記第１の関連技術の開閉体の吊り込み方法について説明する。
【００４３】
まず、一対の上部走行体12それぞれの嵌合凹部16を向かい合わせた状態で、これら一対の上部走行体12のそれぞれを上部ガイドレール３に走行可能に嵌合させる。
【００４４】
この後、これら一対の上部走行体12のそれぞれを上部ガイドレール３の中央部へと移動させて、これら一対の上部走行体12の嵌合凹部16を互いに嵌合させる。
【００４５】
次いで、折戸体５の一対の扉体６それぞれの埋込凹部８に埋め込まれた下部走行体61のガイドローラ71を下部ガイドレール４に走行可能に係合させる。
【００４６】
この後、これら一対の扉体６に取り付けられた下部走行体61それぞれの支持軸部66にクリップ体75の嵌合筒部76をそれぞれ嵌合させて、これら各扉体６の高さを各クリップ体75にて所定の高さに保持させる。
【００４７】
この状態で、図３に示すように、下部ガイドレール４に対して下部走行体61を水平に移動させて一対の扉体６を折り畳み、これら一対の扉体６にて一対の上部走行体12を挟み込む。
【００４８】
この後、これら一対の扉体６をさらに折り畳んで、図４に示すように、これら一対の扉体６それぞれの埋設凹部７に取り付けられたベースカップ13の係合溝部26に各上部走行体12の連結軸部17をそれぞれ嵌合させるとともに、これらベースカップ13の挿通凹部28に各上部走行体12の抜止突部18をそれぞれ嵌合させる。
【００４９】
このとき、これらベースカップ13の係合溝部26のテーパ面27および挿通凹部28の案内面29のそれぞれによって、各上部走行体12の連結軸部17による各ベースカップ13の係合溝部26への嵌合が案内されてガイドされるとともに、これら各上部走行体12の抜止突部18による各ベースカップ13の挿通凹部28への嵌合が案内されてガイドされる。
【００５０】
同時に、これら各上部走行体12の抜止突部18がベースカップ13のロック部材41の係止爪部45の傾斜面部47に当接する。
【００５１】
この状態で、一対の扉体６をさらに折り畳んで、各上部走行体12の抜止突部18にて各ベースカップ13のロック部材41の係止爪部45をコイルスプリング52の弾性力に抗して押圧して、これらロック部材41を下方へと移動させる。
【００５２】
この後、これら一対の扉体６をさらに折り畳んで、図５に示すように、各上部走行体12の抜止突部18をロック部材41の係止爪部45にて抜止保持する。
【００５３】
すなわち、これら各上部走行体12の抜止突部18による各ロック部材41の係止爪部45への押圧が解除されることにより、これらロック部材41がコイルスプリング52の弾性力によって上方へと移動して、これらロック部材41の係止爪部45の垂直面部46によって各上部走行体12の抜止突部18が抜止保持される。
【００５４】
この後、各扉体６に取り付けられた各下部走行体61の支持軸部66のそれぞれからクリップ体75を取り外す。
【００５５】
このとき、各扉体６が下方へと落ち込み、各上部走行体12の抜止突部18がベースカップ13の係合段部31に回動可能に係合し、これら各扉体６が上部走行体12にて開閉可能に吊り下げ支持される。
【００５６】
この結果、これら各上部走行体12のそれぞれが一対の扉体６のベースカップ13に回動可能に連結されるので、これら一対の扉体６が上部ガイドレール３および下部ガイドレール４にてガイドされて移動可能となるから、これら一対の扉体６にて開口部１が開閉可能となる。
【００５７】
上述したように、上記第１の関連技術によれば、一対の扉体６のそれぞれに取り付けられた下部走行体61それぞれの支持軸部66にクリップ体75を取り付けて、これら一対の扉体６の高さを一定の高さに保持してから、これら一対の扉体６を折り畳む作業だけで、これら一対の扉体６に取り付けたベースカップ13と上部ガイドレール３に走行可能に嵌合させた上部走行体12とを回動可能に連結できる。
【００５８】
したがって、これら一対の扉体６を取り付ける取り付け施工者が、これら一対の扉体６を持ち上げるなどして、これら一対の扉体６の荷重を支持することなく、これら一対の扉体６を上部ガイドレール３の上部走行体12に吊り下げ支持できる。よって、これら一対の扉体６にて構成された折戸体５の吊り込み作業を容易にできるから、この折戸体５の施工性を向上できるとともに、この折戸体５を一人で吊り込むことができる。
【００５９】
さらに、一対の扉体６に取り付けられた各下部走行体61を下部ガイドレール４に走行可能に係合させた状態で、これら一対の扉体６を折り畳み操作して、これら一対の扉体６にて上部ガイドレール３に走行可能に嵌合された各上部走行体12を挟み込んだ後、これら一対の扉体６に取り付けられたベースカップ13の連結凹部25に上部走行体12の連結軸部17を位置合わせして嵌合させて、これら一対の扉体６を上部走行体12に吊り下げ支持できる。
【００６０】
このため、一対の扉体６にて各上部走行体12を挟み込んだ後、これら各上部走行体12が一対の扉体６間から逃げなくなる。したがって、これら上部走行体12を施工者が持ったりして位置決めなどしつつ一対の扉体６を吊り込む必要がなくなるから、これら一対の扉体６の吊り込み作業をより容易にできる。
【００６１】
また、上部ガイドレール３の上部走行体12の抜止突部18を、ベースカップ13の挿通凹部28を挿通させてロック部材41の係止爪部45に係合させる際に、この上部走行体12の抜止突部18がロック部材41の係止爪部45の傾斜面部47に当接して、このロック部材41をコイルスプリング52の弾性力に抗して押し下げる。さらに、この上部走行体12の抜止突部18によるロック部材41の係止爪部45への係合によって、この抜止突部18による係止爪部45への押圧が解除され、コイルスプリング52の弾性力によって抜止突部18によるロック部材41の係止爪部45への係合がこの係止爪部45の垂直面部46にて抜止保持される構成とした。
【００６２】
この結果、このロック部材41の係止爪部45による上部走行体12の抜止突部18の抜止保持によって、ベースカップ13への上部走行体12の回動可能な連結を確実に保持できる。したがって、この上部走行体12への各扉体６の吊り下げ支持を、作業性良くより確実にできる。また、下部走行体61からクリップ体75を取り外した際に抜止突部18が回動可能に係止する係合段部31をベースカップ13に設けたため、このベースカップ13の連結凹部25からの連結軸部17の抜けをより確実に防止できる。
【００６３】
さらに、上部ガイドレール３の上部走行体12の連結軸部17および抜止突部18のそれぞれを、ベースカップ13の係合溝部26および挿通凹部28のそれぞれに嵌合させる際に、これら係合溝部26のテーパ面27および挿通凹部28の案内面29のそれぞれが案内してガイドする構成とした。このため、上部走行体12とベースカップ13との連結作業をより容易にできるので、一対の扉体６の上部走行体12への吊り込み作業をより容易にできる。
【００６４】
また、下部走行体61の支持軸部66に着脱可能に取り付けることができるようにクリップ体75を構成した。このため、これら下部走行体61が取り付けられた一対の扉体６を上部ガイドレール３の上部走行体12に吊り下げ支持させた後に、これらクリップ体75を下部走行体61の支持軸部66から取り外すことができる。
【００６５】
そして、これら一対の扉体６の各下部走行体61の支持軸部66から取り外したクリップ体75を、他の下部走行体61の支持軸部66に取り付けて、この他の下部走行体61が取り付けられた一対の扉体６を上部ガイドレール３の上部走行体12に吊り下げ支持できる。したがって、このクリップ体75を他の折戸体５の施工に使用できるから、このクリップ体75を何度も反復して使用、すなわち使い回すことができる。よって、折戸装置２の各下部走行体61のそれぞれにクリップ体75を１つずつ用意する必要がなくなるから、この折戸装置２の製造コストを削減できる。
【００６６】
次に、本発明の第２の関連技術を図６を参照して説明する。
【００６７】
この図６に示す折戸装置２は、基本的には図１ないし図５に示す折戸装置２と同様であるが、一対の扉体６の吊り込み時に下部ガイドレール４に対する一対の扉体６の高さを一定の高さに保持する高さ保持手段としての高さ保持機構81を、これら一対の扉体６に取り付けた下部走行体61に内蔵させたものである。
【００６８】
そして、この高さ保持機構81は、各下部走行体61のケース体62の周面に設けられた側面視略Ｌ字状の切込溝部82を備えている。この切込溝部82は、ケース体62の軸方向に沿った細長溝状の摺動溝部83を有している。この摺動溝部83は、ケース体62の開口部寄り、すなわちこのケース体62の先端側に設けられている。
【００６９】
また、この摺動溝部83の長手方向における一端部、すなわちこの摺動溝部83におけるケース体62の開口部側の一端部には、細長溝状の係合溝部84が設けられている。この係合溝部84は、ケース体62の周方向に沿った長手方向を有している。また、この係合溝部84の長手方向における一端部は、摺動溝部83の一端部に垂直に接続されており、この摺動溝部83に連続して形成されている。さらに、この係合溝部84は、摺動溝部83の幅寸法に等しい幅寸法を有している。
【００７０】
一方、下部走行体61の連結部材64の押圧部65には、ケース体62の切込溝部82に摺動可能に嵌合された円柱状の係合凸部85が突設されている。この係合凸部85は、押圧部65の周面部に設けられており、高さ保持機構81の一部を構成する。また、この係合凸部85は、押圧部65の周面部に対して垂直に突出している。言い換えると、この係合凸部85は、押圧部65の径方向に向けて突出しており、この押圧部65の径方向に沿った軸方向を有している。また、この係合凸部85は、摺動溝部83および係合溝部84の幅寸法よりも若干小さな外径寸法を有しているとともに、ケース体62の厚さ寸法よりも若干小さな高さ寸法を有している。
【００７１】
さらに、連結部材64の支持軸部66の周面には、一対の平面部86が面取りされて設けられている。これら一対の平面部86は、支持軸部66の周面における相反する位置に設けられている。言い換えると、これら一対の平面部86は、互いに平行に設けられており、これら一対の平面部86によって、図示しない六角スパナなどが係合され、この六角スパナにて連結部材64を回動可能とさせるスパナ係合部87が構成されている。
【００７２】
したがって、一対の扉体６の下端部に取り付けられた下部走行体61の係合凸部85を、この下部走行体61の係合溝部84に係合させる。この状態で、これら下部走行体61を下部ガイドレール４に走行可能に係合させることにより、これら一対の扉体６の高さが所定の高さに保持される。
【００７３】
さらに、これら各下部走行体61の支持軸部66のスパナ係合部87に六角スパナを係合させて、連結部材64を回動させ、下部走行体61の係合凸部85による係合溝部84への係合を解除させて、この係合凸部85を下部走行体61の摺動溝部83に移動させて係合させることにより、一対の扉体６それぞれの高さ保持が解除される。
【００７４】
この結果、一対の扉体６の下部走行体61の係合凸部85を係合溝部84に係合させて、これら下部走行体61を下部ガイドレール４に走行可能に係合させ、これら一対の扉体６の高さを一定の高さに保持させる。この状態で、これら一対の扉体６に取り付けられたベースカップ13を上部ガイドレール３に走行可能に嵌合された上部走行体12それぞれに連結させる。この後、各下部走行体61の連結部材64を回動させて係合凸部85を摺動溝部83に係合させ、この係合凸部85による係合溝部84への係合を解除させて、これら一対の扉体６それぞれの高さ保持を解除させることにより、これら一対の扉体６を上部走行体12に吊り下げ支持できるので、上記第１の関連技術と同様の作用効果を奏することができる。
【００７５】
さらに、下部走行体61のケース体62に切込溝部82を設けるとともに、この下部走行体61の連結部材64の押圧部65に係合凸部85を設けて高さ保持機構81を構成した。この結果、この高さ保持機構81が下部走行体61に内蔵され、この高さ保持機構81が下部走行体61から外れなくなるので、この高さ保持機構81の紛失を防止できる。同時に、この高さ保持機構81を下部走行体61に着脱させる手間が無くなるので、この高さ保持機構81の使い勝手を向上できる。
【００７６】
また、一対の扉体６に取り付けられた下部走行体61を下部ガイドレール４に走行可能に係合させ、この下部走行体61のケース体62の係合溝部84に係合凸部85を係合させた状態では、この係合凸部85と係合溝部84との間に一対の扉体６の荷重が掛かる。このため、連結部材64の回動により係合凸部85による係合溝部84の係合を解除させるためには、一対の扉体６の荷重よりも大きな力で連結部材64を回動させなければならない。
【００７７】
そこで、この連結部材64の支持軸部66の周面にスパナ係合部87を設けて、このスパナ係合部87に六角スパナを係合させることにより、この六角スパナにて連結部材64を容易に回動できる構成とした。この結果、上部ガイドレール３に一対の扉体６を吊り下げ支持させた状態での、下部走行体61の係合溝部84への係合凸部85の係合の解除を容易にできるため、折戸装置２の施工性をより向上できる。
【００７８】
次に、本発明の第３の関連技術を図７ないし１０を参照して説明する。
【００７９】
この図７ないし図１０に示す折戸装置２は、基本的には図１ないし図５に示す折戸装置２と同様であるが、一対の扉体６の吊り込み時に下部ガイドレール４に対する一対の扉体６の高さを一定の高さに保持する高さ保持手段としての高さ保持機構91を、下部ガイドレール４に着脱可能に取り付けたものである。
【００８０】
そして、この高さ保持機構91は、下部走行体61と下部ガイドレール４との間に取り付けられている。さらに、この高さ保持機構91は、一対の扉体６の吊り込み時に一対の扉体６の水平方向への移動を、これら一対の扉体６の高さ方向への移動に変換する移動変換手段としての移動変換機構として機能する。また、この高さ保持機構91は、断面略矩形棒状の本体部92を備えている。
【００８１】
この本体部92は、一対の扉体６を折り畳んだ状態での、これら一対の扉体６の下端面に取り付けられた下部走行体61の間の長さ寸法よりも大きい長さ寸法を有している。さらに、この本体部92の一側面である下面には、この本体部92の長手方向に沿って形成された断面矩形状の嵌合凸部93が設けられている。この嵌合凸部93は、本体部92の下面の幅方向における中央部に設けられている。また、この嵌合凸部93は、下部ガイドレール４の走行凹部94の内幅寸法に略等しい幅寸法を有している。
【００８２】
ここで、この下部ガイドレール４の走行凹部94は、下部走行体61のガイドローラ71が回転可能に係合される断面凹状の溝部である。また、この走行凹部94は、下部ガイドレール４の上面に向けて開口しており、この下部ガイドレール４の長手方向に沿って形成されている。
【００８３】
また、本体部92の他側面である上面には、側面視Ｔ字状の把持部95が突出して設けられている。この把持部95は、嵌合凸部93を下部ガイドレール４の走行凹部94に嵌合させたり外したりする際に取り付け施工者が把持する部分である。そして、この把持部95は、本体部92の長手方向における中央部に設けられており、この本体部92の幅寸法に等しい幅寸法を有している。
【００８４】
さらに、本体部92の上面における長手方向に沿った両端部には、テーパ状の傾斜面部96がそれぞれ設けられている。これら傾斜面部96は、本体部92の幅方向に沿って設けられており、基端側から先端側に向けて下方に傾斜している。また、本体部92の上面における把持部95の両側には、断面凹状の保持凹部97がそれぞれ設けられている。これら保持凹部97は、本体部92の上面の幅方向における中央部に設けられており、下部走行体61の支持ローラ74が摺動可能に嵌合される幅寸法を有している。言い換えると、これら保持凹部97は、支持ローラ74の外径寸法よりも若干大きな内幅寸法を有している。
【００８５】
ここで、これら保持凹部97の底部から本体部92の下面までの高さ寸法は、嵌合凸部93を下部ガイドレール４の走行凹部94に嵌合させた状態で、この走行凹部94に走行可能に係合された下部走行体61を移動させて、この下部走行体61を保持凹部97に嵌合保持させた際に、この下部走行体61が取り付けられた一対の扉体６を水平に移動することによって、これら一対の扉体６のベースカップ13を上部ガイドレール３の上部走行体12に連結できる高さ寸法である。
【００８６】
また、本体部92の各傾斜面部96には、保持凹部97に連続した断面凹状の傾斜凹部98が設けられている。これら傾斜凹部98は、各傾斜面部96の傾斜方向に沿った長手方向を有している。また、これら傾斜凹部98は、傾斜面部96の幅方向における中央部に設けられており、保持凹部97の内幅寸法に等しい内幅寸法を有している。すなわち、これら傾斜凹部98は、下部ガイドレール４の走行凹部94に走行可能に係合された支持ローラ74を保持凹部97へと乗り越えさせるガイドとして機能する。
【００８７】
したがって、図８に示すように、下部ガイドレール４の走行凹部94の長手方向における中央部に高さ保持機構91の嵌合凸部93を嵌合させた状態で、下部走行体61を水平に移動させて一対の扉体６を折り畳み、これら一対の扉体６にて一対の上部走行体12を挟み込む。
【００８８】
この後、図９に示すように、これら一対の扉体６を水平に移動させてさらに折り畳んで、各下部走行体61の支持ローラ74を高さ保持機構91の傾斜凹部98に嵌合させながら、これら傾斜凹部98を乗り越えさせて保持凹部97へと摺動させて移動させるとともに、これら一対の扉体６に取り付けられたベースカップ13内のロック部材41に各上部走行体12の抜止突部18を係合させる。
【００８９】
このとき、この高さ保持機構91の傾斜凹部98によって、一対の扉体６の水平方向への移動が、これら一対の扉体６の高さ方向への移動に変換される。
【００９０】
さらに、これら一対の扉体６を開いて、各下部走行体61の支持ローラ74を高さ保持機構91の保持凹部97から傾斜凹部98を介して下部ガイドレール４の走行凹部94へと移動させた後、この走行凹部94から高さ保持機構91を取り外す。この結果、図１０に示すように、これら一対の扉体６が上部走行体12に吊り下げ支持されるので、上記第１の関連技術と同様の作用効果を奏することができる。
【００９１】
また、一対の扉体６を水平方向に移動させて折り畳む際に、これら一対の扉体６の下部走行体61が高さ保持機構91の傾斜凹部98を乗り越えるように移動する。このため、この高さ保持機構91の傾斜凹部98によって、これら一対の扉体６の水平方向への移動を、これら一対の扉体６の高さ方向への移動、すなわち上昇移動に変換できる。したがって、これら一対の扉体６の荷重を支えることなく、これら一対の扉体６を所定の高さに上昇させて保持できるので、これら一対の扉体６の施工性をより向上でき、これら一対の扉体６を一人で上部走行体12に吊り込むことができる。
【００９２】
次に、本発明の第４の関連技術を図１１ないし図１７を参照して説明する。
【００９３】
この図１１ないし図１７に示す折戸装置２は、基本的には図７ないし図１０に示す折戸装置２と同様であるが、一対の扉体６の水平方向への移動をこれら一対の扉体６の高さ方向への移動に変換する移動変換手段としての移動変換機構101を、上部走行体12とベースカップ13との間に設けて内蔵させたものである。
【００９４】
そして、ベースカップ13の連結凹部25には、上部走行体12の連結軸部17が挿入される係合溝部26が形成されている。この係合溝部26の先端縁である開口縁には、テーパ面27がそれぞれ形成されている。さらに、この係合溝部26の基端縁には、この係合溝部26に挿入される上部走行体12の連結軸部17が回動可能に係合される上面視略Ｃ字状の係合凹部102が設けられている。
【００９５】
この係合凹部102は、ベースカップ13の上下方向に沿って形成されている。また、この係合凹部102は、上部走行体12の連結軸部17の外径寸法に略等しい内径寸法を有している。さらに、この係合凹部102は、上部走行体12の連結軸部17の長さ寸法に略等しい高さ寸法を有している。また、この係合凹部102の周縁には、この係合凹部102の先端側の開口縁を弾性変形させる一対の空間部103が設けられている。これら一対の空間部103は、係合溝部26の両側縁から係合凹部102の開口縁の両側に亘って形成されている。
【００９６】
さらに、係合溝部26の下側には、上部走行体12の抜止突部18が挿通される挿通凹部28が形成されている。この挿通凹部28は、上部走行体12の抜止突部18の外径寸法に略等しい内幅寸法を有している。そして、この挿通凹部28と係合溝部26との間には、挿通凹部28の開口側から内側に向けて下方へと傾斜した傾斜面104が設けられている。この傾斜面104は、挿通凹部28の上面部に設けられており、移動変換機構101の一部を構成する。また、この傾斜面104は、ベースカップ13のフランジ22の面方向に対して４５度の角度で傾斜している。さらに、この傾斜面104は、係合溝部26のテーパ面27の基端縁から係合凹部102の開口縁に亘って設けられている。
【００９７】
そして、挿通凹部28の底面部には、係合凹部102に連結軸部17が係止された上部走行体12の抜止突部18を抜け止め保持する抜止部材105が取り付けられている。この抜止部材105は、平坦な細長矩形状の上面部106を有している。この上面部106は、挿通凹部28の内幅寸法よりも若干小さな幅寸法を有している。
【００９８】
また、抜止部材105には、この抜止部材105の幅方向に向けて貫通した軸挿通孔107が穿設されている。この軸挿通孔107は、上面部106の長手方向における中間部よりも、この上面部106の長手方向における一端側である前端側に所定距離離間させた位置、すなわちずれた位置に設けられている。また、この軸挿通孔107には、図示しないピン体が両端部を突出させて回動可能に挿通されている。このピン体の両端部は、挿通凹部28の両側面に固定されている。したがって、このピン体は、挿通凹部28内において抜止部材105を回動可能に取り付ける。
【００９９】
また、このピン体の両端部には、抜止部材105の上面部106を水平に位置させる弾性部材としてのバネ体108が取り付けられている。このバネ体108は、このバネ体108が有する弾性力によって、抜止部材105の前側を上方に向けて付勢して、この抜止部材105の上面部106が水平になるように保持させる。
【０１００】
さらに、この抜止部材105の上面部106に対向した下面には、この上面部106の長手方向における両端側に向けて上方に傾斜した平坦な矩形状の前側傾斜面111および後側傾斜面112のそれぞれが設けられている。ここで、前側傾斜面111は、軸挿通孔107よりも抜止部材105の前側に設けられている。また、後側傾斜面112は、軸挿通孔107よりも抜止部材105の後側に設けられている。したがって、この抜止部材105は、軸挿通孔107よりも前側に重心が位置するように構成されている。
【０１０１】
一方、上部走行体12の抜止突部18における連結軸部17に接続された側の側面部には、この連結軸部17側から抜止突部18の端面側に向けて径方向に傾斜した摺動部としての傾斜摺動面113が設けられている。この傾斜摺動面113は、ベースカップ13の傾斜面104とにより移動変換機構101を構成する。また、この傾斜摺動面113は、抜止突部18の周方向に沿って設けられており、連結軸部17の周面から抜止突部18の周面までをテーパ状に傾斜させたものである。
【０１０２】
したがって、図１２および図１３に示すように、一対の扉体６を水平に移動させて折り畳み、これら一対の扉体６にて一対の上部走行体12を挟み込む。この後、これら一対の扉体６をさらに水平に移動させて折り畳んで、各上部走行体12の連結軸部17をベースカップ13の係合溝部26に係合させるとともに、これら各上部走行体12の抜止突部18の傾斜摺動面113をベースカップ13の傾斜面104に当接させて係合させる。
【０１０３】
この状態で、これら一対の扉体６をさらに水平に移動させて折り畳んで、図１４および図１５に示すように、各上部走行体12の抜止突部18の傾斜摺動面113をベースカップ13の傾斜面104に対して摺動させる。このとき、これら各上部走行体12の抜止突部18の傾斜摺動面113によるベースカップ13の傾斜面104の摺動によって、一対の扉体６の水平方向への移動が、これら一対の扉体６の高さ方向への移動に変換される。
【０１０４】
この後、これら一対の扉体６をさらに水平方向に移動させて、各上部走行体12の連結軸部17をベースカップ13の係合凹部102に押圧して、この係合凹部102を弾性変形させ、この係合凹部102に回転可能に係止させる。このとき、抜止部材105の上面部106の前側が上部走行体12の抜止突部18の底面部にて押圧されて、この抜止部材105が前側に向けて回動する。
【０１０５】
また、これら各上部走行体12の抜止突部18は、これら各上部走行体12の連結軸部17によるベースカップ13の係合凹部102への係止によって、このベースカップ13の挿通凹部28内に回動可能に係合される。このとき、これら各上部走行体12の連結軸部17によるベースカップ13の係合凹部102への係合によって、抜止突部18による抜止部材105の上面部106の押圧が解除される。
【０１０６】
そして、この抜止突部18による抜止部材105の上面部106の押圧が解除されると、この抜止部材105は、バネ体108の弾性力によって、この抜止部材105が後側に向けて回動して、この抜止部材105の前端部にて上部走行体12の抜止突部18によるベースカップ13の挿通凹部28内での係止が抜け止め保持される。この結果、図１６および図１７に示すように、これら一対の扉体６が上部走行体12に吊り下げ支持されるので、上記第３の関連技術と同様の作用効果を奏することができる。
【０１０７】
さらに、ベースカップ13の傾斜面104を上部走行体12の傾斜摺動面113に当接させた状態で、これら一対の扉体６を水平方向に移動させて折り畳むことによって、ベースカップ13の傾斜面104に対して上部走行体12の傾斜摺動面113が摺動し、一対の扉体６の水平方向への移動が、これら一対の扉体６の高さ方向への移動に変換される。
【０１０８】
この結果、これら一対の扉体６の荷重を支えることなく、これら一対の扉体６を水平方向に移動させるだけで、これら一対の扉体６のベースカップ13内の抜止部材105にて上部走行体12の抜止突部18を回動可能に抜止保持でき、これら一対の扉体６を上部走行体12に吊り下げ支持できる。よって、これらベースカップ13への上部走行体12の係合をより容易にできるとともに、取り付け施工者が一人で一対の扉体６を上部走行体12に吊り込み施工できるから、折戸装置２の施工性をより向上できる。
【０１０９】
また、移動変換機構101をベースカップ13と上部走行体12との間に設け、これらベースカップ13および上部走行体12に移動変換機構101を内蔵させた。このため、この移動変換機構101を着脱する必要がなくなるから、この移動変換機構101の紛失を確実に防止できる。さらに、移動変換機構101をベースカップ13の傾斜面104と上部走行体12の傾斜摺動面113とで構成したため、この移動変換機構101の構成を簡単にできるので、この移動変換機構101の製造コストを削減できる。
【０１１０】
次に、本発明の一実施の形態を図１８ないし図２４を参照して説明する。
【０１１１】
この図１８ないし図２４に示す折戸装置２は、基本的には図１１ないし図１７に示す折戸装置２と同様であるが、移動変換機構101を構成する傾斜面104をベースカップ13のフランジ22の面方向に沿って形成したものである。
【０１１２】
そして、ベースカップ13には、フランジ22の面方向に対して垂直に開口した第１の被取付部としての第１の連結凹部121が設けられている。この第１の連結凹部121には、係合溝部26および挿通凹部28が形成されている。また、この挿通凹部28の開口縁には、テーパ状の案内面29が設けられている。
【０１１３】
さらに、この第１の連結凹部121の基端側には、ベースカップ13のフランジ22の面方向に沿って形成された第２の被取付部としての第２の連結凹部122が設けられている。この第２の連結凹部122は、第１の連結凹部121に対して直角に屈曲した状態で接続されている。また、この第２の連結凹部122は、第１の連結凹部121の基端側に連続して設けられている。そして、この第２の連結凹部122は、係合溝部26に連続して形成された第２の係合溝部123を備えている。
【０１１４】
この第２の係合溝部123は、係合溝部26の内幅寸法に等しい内幅寸法を有している。さらに、この第２の係合溝部123は、ベースカップ13のフランジ22の面方向に沿った長手方向を有している。また、この第２の係合溝部123は、一対の扉体６における互いに連結させた一側縁側に向けて開口している。そして、この第２の係合溝部123には、係合凹部102が形成されており、この係合凹部102の周縁には一対の空間部103が形成されている。
【０１１５】
また、この第２の係合溝部123の下側には、挿通凹部28の基端側に接続され、この挿通凹部28に連続して形成された第２の挿通凹部124が設けられている。この第２の挿通凹部124は、挿通凹部28の内幅寸法に等しい内幅寸法を有している。そして、この第２の挿通凹部124と第２の係合溝部123との間には、第２の連結凹部122の開口側から基端側に向けて下方へと傾斜した傾斜面104が形成されている。この傾斜面104は、第２の挿通凹部124の上面である第２の係合溝部123の下面に設けられている。
【０１１６】
さらに、第２の挿通凹部124の底面部には、抜止部材105が取り付けられている。この抜止部材105の上面部106の後端縁には、この抜止部材105の幅方向に向けて突出した細長矩形平板状の一対の操作片部125が一体的に設けられている。これら一対の操作片部125は、抜止部材105の上面部106に沿って形成されている。そして、これら一対の操作片部125は、ベースカップ13の第２の挿通凹部124の両側部に設けられた矩形状の貫通孔126に挿入されている。これら貫通孔126は、ベースカップ13の表面側および裏面側のそれぞれに貫通している。また、これら貫通孔126は、抜止部材105の一対の操作片部125を把持して、この抜止部材105を回動操作できるように構成されている。
【０１１７】
したがって、図１９および図２０に示すように、一対の扉体６を水平に移動させて折り畳み、これら一対の扉体６にて一対の上部走行体12を挟み込む。この後、これら一対の扉体６をさらに水平に移動させて折り畳んで、各上部走行体12の連結軸部17をベースカップ13の係合溝部26に係合させるとともに、これら各上部走行体12の抜止突部18をベースカップ13の挿通凹部28に係合させる。
【０１１８】
この後、これら一対の扉体６をさらに水平に移動させて折り畳んで、各上部走行体12の連結軸部17をベースカップ13の係合溝部26の基端側へと移動させるとともに、これら各上部走行体12の抜止突部18をベースカップ13の挿通凹部28の基端側へと移動させる。
【０１１９】
この状態で、これら一対の扉体６の上側を開口部１の前側に向けて傾けて、各上部走行体12の連結軸部17をベースカップ13の第２の係合溝部123に係合させるとともに、これら各上部走行体12の抜止突部18の傾斜摺動面113をベースカップ13の傾斜面104に当接させて係合させる。
【０１２０】
この後、これら一対の扉体６の上側をさらに開口部１の前側に向けて傾けて、図２１および図２２に示すように、各上部走行体12の抜止突部18の傾斜摺動面113をベースカップ13の傾斜面104に対して摺動させる。このとき、これら各上部走行体12の抜止突部18の傾斜摺動面113によるベースカップ13の傾斜面104の摺動によって、一対の扉体６の水平方向への移動が、これら一対の扉体６の高さ方向への移動に変換される。
【０１２１】
この後、これら一対の扉体６の上側をさらに開口部１の前側に向けて傾けて、各上部走行体12の連結軸部17をベースカップ13の係合凹部102に回転可能に係止させる。このとき、抜止部材105の上面部106の前側が上部走行体12の抜止突部18の底面部にて押圧されて、この抜止部材105が前側に向けて回動する。
【０１２２】
また、これら各上部走行体12の抜止突部18は、これら各上部走行体12の連結軸部17によるベースカップ13の係合凹部102への係止によって、このベースカップ13の挿通凹部28内に回動可能に係止される。このとき、これら各上部走行体12の連結軸部17によるベースカップ13の係合凹部102への係合によって、抜止突部18による抜止部材105の上面部106の押圧が解除される。
【０１２３】
そして、この抜止突部18による抜止部材105の上面部106の押圧が解除されると、この抜止部材105は、バネ体108の弾性力によって、この抜止部材105が後側に向けて回動して、この抜止部材105の前端部にて上部走行体12の抜止突部18によるベースカップ13の挿通凹部28内での係止が抜け止め保持される。この結果、図２３および図２４に示すように、これら一対の扉体６が上部走行体12に吊り下げ支持されるので、上記第４の関連技術と同様の作用効果を奏することができる。
【０１２４】
さらに、各上部走行体12の抜止突部18をベースカップ13の第１の連結凹部121に係合させた後、この第１の連結凹部121に対して直角に屈曲して設けられた第２の連結凹部122の係合凹部102に各上部走行体12の連結軸部17を係合させて、これら各上部走行体12に一対の扉体６を吊り込み支持させる構成とした。この結果、これら各上部走行体12の抜止突部18をベースカップ13内の抜止部材105に係合させる際に扉体６を移動させる方向と、開口部１を開閉させる際に各扉体６を移動させる方向とが異なる。したがって、これら一対の扉体６を操作して開口部１を開閉させる際における、ベースカップ13の挿通凹部28内からの上部走行体12の抜止突部18の抜けをより確実に防止できる。
【０１２５】
また、一対の扉体６を折り畳んだ状態で、これら一対の扉体６の後側にベースカップ13および下部走行体61のそれぞれを取り付けた。このため、この一対の扉体６を折り畳んだ状態では、これら一対の扉体６が開口部１の前側に向けて倒れようとする。よって、これら一対の扉体６の上側を開口部１の前側に向けて傾ける作業がより容易になる。したがって、各上部走行体12の抜止突部18の傾斜摺動面113をベースカップ13の傾斜面104に当接させて摺動させて、一対の扉体６の水平方向への移動を一対の扉体６の高さ方向への移動に変換させる作業をより容易にできるから、折戸装置２の施工性をより向上できる。
【０１２６】
さらに、ベースカップ13の幅方向に沿って第２の連結凹部122を設けたので、このベースカップ13を幅方向に向けて大きくすることにより、第２の連結凹部122内の傾斜面104の傾斜角度をより緩やかにできる。したがって、この傾斜面104の傾斜角度を緩やかにすることにより、一対の扉体６を折り畳んで、これら一対の扉体６を上方に移動させる際に必要な力を小さくできる。したがって、より小さな力で一対の扉体６を上部ガイドレール３に吊り下げ支持できるので、折戸装置２の取り付け施工性をより向上できる。
【０１２７】
なお、上記一実施の形態では、一対の扉体６の面方向に沿った第２の連結凹部122をベースカップ13の第１の連結凹部121の基端側に直角に連続させて設けたが、これら一対の扉体６を折り畳む方向と交差する水平方向に沿った第２の連結凹部122を第１の連結凹部121に連続して設けてもよい。
【符号の説明】
【０１２８】
１    開口部
２    開閉体装置としての折戸装置
３    上部案内体としての上部ガイドレール
５    開閉体としての折戸体
６    板体としての扉体
12    上部走行体
13    固着部としてのベースカップ
15    ランナ
18    取付部としての抜止突部
104   傾斜面
105   抜止部材
108   弾性部材としてのバネ体
121   第１の被取付部としての第１の連結凹部
122   第２の被取付部としての第２の連結凹部
【図１】
2010116776.tif 000003
【図２】
2010116776.tif 000004
【図３】
2010116776.tif 000005
【図４】
2010116776.tif 000006
【図５】
2010116776.tif 000007
【図６】
2010116776.tif 000008
【図７】
2010116776.tif 000009
【図８】
2010116776.tif 000010
【図９】
2010116776.tif 000011
【図１０】
2010116776.tif 000012
【図１１】
2010116776.tif 000013
【図１２】
2010116776.tif 000014
【図１３】
2010116776.tif 000015
【図１４】
2010116776.tif 000016
【図１５】
2010116776.tif 000017
【図１６】
2010116776.tif 000018
【図１７】
2010116776.tif 000019
【図１８】
2010116776.tif 000020
【図１９】
2010116776.tif 000021
【図２０】
2010116776.tif 000022
【図２１】
2010116776.tif 000023
【図２２】
2010116776.tif 000024
【図２３】
2010116776.tif 000025
【図２４】
2010116776.tif 000026